【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  ビデオ・フレームのシーケンスのビデオ・フレーム・レートを増加する方法であって：この方法は、
前記シーケンスの第１のフレームと第２のフレームの間に、前記第１および第２のフレームのピクセル信号値に対して時空メディアン・フィルタを適用することによって、少なくとも１つのフレームを補間するステップを有し、
前記時空メディアン・フィルタの出力信号は、前記第１および第２のフレーム内の空間的に対応する領域のピクセルのメディアン信号値および該メディアン信号値を有するピクセルからなることを特徴とする方法。
【請求項２】  ビデオ・フレームのシーケンスのビデオ・フレーム・レートを増加する方法において：この方法は、
前記ビデオ・フレームのシーケンスのブロック内のオブジェクトの動きを、該シーケンスの一部として受け取る動きベクトルを使用して動き補正を適用することによって決定するステップ；
前記動き補正により決定される前記第１および第２のフレームのもっとも一致度の高いブロックのピクセルに対して時空メディアン・フィルタを適用することによって、第１と第２のフレームの間における補間フレームの少なくとも１つのブロックを生成するステップ；および
前記補間フレーム内のピクセルの領域であって、動きベクトルが通過しない領域について、前記第１および第２のフレーム内の空間的に等しいロケーションにあるピクセルを平均化するステップを含むことを特徴とする方法。
【請求項３】  デコーダにおいてビデオ・フレームのシーケンスのビデオ・フレーム・レートを増加する方法であって：この方法は、
順方向の動きの予測および逆方向の動きの予測のうちの少なくともいずれか一方を伴う動き補正を、前記デコーダによって受け取られた前記ビデオ・フレームのシーケンスに適用することによって、前記ビデオ・フレームのシーケンス内のオブジェクトの動きを決定するステップ；
前記動き補正に基づいて、第１のフレームのブロックから第２のフレームのブロックへ向かう動きベクトルを選択するステップ；および、
前記選択した動きベクトルにより決定される、前記第１および第２のフレームの、もっとも一致度の高いブロックに対して時空メディアン・フィルタを適用することによって前記第１と第２のフレームの間における少なくとも１つの補間フレームの少なくとも１つのブロックを生成するステップ；とから構成され、
第１および第２のフレームのピクセルはブロック群のピクセルのセグメンテーションの状態に少くとも基いた少くとも１つの補間されたブロックが生成するように選択され、上記セグメンテーションの状態はバイナリスレショルド動作をフレーム群に適用することによってピクセル状態分類マップの発生によって得られることを特徴とする方法。
【請求項４】  ビデオ・フレームのシーケンスのビデオ・フレーム・レートを増加する装置において：この装置は、
前記シーケンスの第１のフレームと第２のフレームの間に、前記第１および第２のフレームのピクセルに対して時空メディアン・フィルタを適用することによって、少なくとも１つのフレームを補間するフレーム・レート・アップサンプリング・デバイスを有し、
前記時空メディアン・フィルタの出力信号は、前記第１および第２のフレーム内の空間的に対応する領域のピクセルのメディアン信号値および該メディアン信号値を有するピクセルからなることを特徴とする装置。
【請求項５】  ビデオ・フレームのシーケンスのビデオ・フレーム・レートを増加する装置において：この装置は、
そのシーケンスの一部として受け取る動きベクトルを使用して動き補正オペレーションを適用することによって前記ビデオ・フレームのシーケンスのブロック内のオブジェクトの動きを決定する動き補正手段；
前記動き補正手段により決定される、前記第１および第２のフレームのもっとも一致度の高いブロックのピクセルに対して時空メディアン・フィルタ・オペレーションを適用することによって第１と第２のフレームの間における少なくとも１つの補間フレームのブロックを生成する時空メディアン・フィルタ；および
時空メディアン・フィルタに接続し、少くとも一部がブロック群のセグメンテーションの状態に基いた補間されたブロックを発生するため、第１および第２のフレーム群のピクセルを選択する状態セグメンテーション・ユニット：
とから構成され、上記セグメンテーションの状態はバイナリ・スレショルド動作をフレーム群に適用することによってピクセル状態分類マップの発生によって得られることを特徴とする装置。
【請求項６】  デコーダにおいてビデオ・フレームのシーケンスのビデオ・フレーム・レートを増加する装置であって：この装置は、
前記デコーダによって受け取られた前記ビデオ・フレームのシーケンスに、順方向の動きの予測および逆方向の動きの予測のうちの少なくともいずれか一方による動き補正を適用することによって、前記ビデオ・フレームのシーケンス内のオブジェクトの動きを決定する動き補正手段；
前記動き補正に基づいて、第１のフレームのブロックから第２のフレームのブロックへ向かう動きベクトルを選択する動きベクトル・セレクタ；および、
前記第１と第２のフレームの間における少なくとも１つの補間フレームのブロックを、前記選択した動きベクトルにより決定される、前記第１および第２のフレームの、もっとも一致度の高いブロックに対して時空メディアン・フィルタ・オペレーションを適用することによって生成する時空メディアン・フィルタ；および
時空メディアン・フィルタに接続し、少くとも一部がブロック群のセグメンテーションの状態に基いた補間されたブロックを発生するため、第１および第２のフレーム群のピクセルを選択する状態セグメンテーション・ユニット：
とから構成され、上記セグメンテーションの状態はバイナリ・スレショルド動作をフレーム群に適用することによってピクセル状態分類マップの発生によって得られることを特徴とする装置。
【請求項７】  ビデオ・フレームのシーケンスのビデオ・フレーム・レートを増加する装置において：この装置は、
前記ビデオ・フレームのシーケンスのブロック内のオブジェクトの動きを、該シーケンスの一部として受け取る動きベクトルを使用して動き補正を適用することによって決定する手段；
前記動き補正により決定される、前記第１および第２のフレームのもっとも一致度の高いブロックのピクセルに対して時空メディアン・フィルタを適用することによって第１と第２のフレームの間における少なくとも１つの補間フレームのブロックを生成する手段；
ブロック群のセグメンテーション状態の少くとも一部に基いて補間されたブロックを発生するために第１と第２のフレームのピクセルを選択する手段とから構成され、上記セグメンテーションの状態はバイナリ・スレショルド動作をフレーム群に適用することによってピクセル状態分類マップの発生によって得られることを特徴とする装置。
【請求項８】  デコーダにおいてビデオ・フレームのシーケンスのビデオ・フレーム・レートを増加する装置であって：この装置は、
前記デコーダによって受け取られた前記ビデオ・フレームのシーケンスに順方向の動きの予測および逆方向の動きの予測のうちの少なくともいずれか一方による動き補正を適用することによって、前記ビデオ・フレームのシーケンス内のオブジェクトの動きを決定する手段；
前記動き補正に基づいて、第１のフレームのブロックから第２のフレームのブロックへ向かう動きベクトルを選択する手段；
前記選択した動きベクトルにより決定される、前記第１および第２のフレームのもっとも一致度の高いブロックに対して時空メディアン・フィルタを適用することによって前記第１と第２のフレームの間における少なくとも１つの補間フレームのブロックを生成する手段；
ブロック群のセグメンテーション状態の少くとも一部に基いて補間されたブロックを発生するために第１と第２のフレームのピクセルを選択する手段とから構成され、上記セグメンテーションの状態はバイナリ・スレショルド動作をフレーム群に適用することによってピクセル状態分類マップの発生によって得られることを特徴とする装置。